(57)【要約】【課題】リモートＵＩ機能を利用して、ネットワーク接続されたコンピュータを制御する際の操作性を格段に向上できるテレビジョン受像機を提供する。【解決手段】リモートＵＩ機能を備えたテレビジョン受像機において、ネットワークに接続されたコンピュータを制御するための制御コマンドを記憶する記憶手段を設ける。この記憶手段には、前記コンピュータにおいて一連の動作を実行させるための制御コマンドが、リモコンの操作キーに対応して記憶される。制御手段は、前記コンピュータを制御するためのリモートＵＩモードにおいて、前記コンピュータから入力された映像データに基づいて前記コンピュータの画面表示を前記表示手段に出力させるとともに、受信されたリモコン信号に基づいて、対応する制御コマンドを前記コンピュータに送信することにより、前記コンピュータを制御する。【選択図】図７
2009100286.tif 000002
【特許請求の範囲】
【請求項１】
コンピュータと接続するための通信手段と、
映像を表示する表示手段と、
所定の機能が割り当てられた複数の操作キーを有し、それぞれの操作キーの操作に伴いリモコン信号を発信するリモートコントローラと、
前記リモコン信号を受信するリモコン信号受信手段と、
前記接続されたコンピュータを制御するための制御コマンドを記憶する記憶手段と、
前記リモコン信号受信手段によって受信されたリモコン信号に基づいて、前記所定の機能を実現させるための制御を行う制御手段と、を備え、
前記記憶手段は、前記コンピュータにおいて一連の動作を実行させるための制御コマンドを、前記操作キーに対応して記憶し、
前記制御手段は、
前記接続されたコンピュータを制御するための第１モードにおいて、前記コンピュータから入力された映像データに基づいて前記コンピュータの画面表示を前記表示手段に出力させるとともに、
前記リモコン信号受信手段により受信されたリモコン信号に基づいて、対応する前記制御コマンドを前記コンピュータに送信することにより、前記コンピュータを制御することを特徴とするテレビジョン受像機。 
【請求項２】
前記複数の操作キーの一部又は全部には、前記第１モードと該第１モードと異なる第２モードとで異なる機能が割り当てられ、
前記制御手段は、前記リモコン信号受信手段によりリモコン信号が受信されたときのモードに応じて前記操作キーに割り当てられた機能を実現するための制御を行うことを特徴とする請求項１に記載のテレビジョン受像機。 
【請求項３】
前記制御手段は、前記第１モードにおいて、前記リモコン信号受信手段により特定のリモコン信号が受信された場合に、その後に受信されたリモコン信号については、前記第１モード用として割り当てられた機能を実現するための制御を行うことを特徴とする請求項２に記載のテレビジョン受像機。 
【請求項４】
前記記憶手段は、前記操作キーに対応付けられた前記制御コマンドを変更可能に構成されていることを特徴とする請求項１から３のいずれか一項に記載のテレビジョン受像機。
【請求項５】
前記制御手段は、前記操作キーに対応付ける制御コマンドを、予め登録された複数の制御コマンドの中から選択可能な形態で前記表示手段に表示させ、
前記リモートコントローラからのリモコン信号に基づいて、前記操作キーに対応付ける制御コマンドを設定することを特徴とする請求項４に記載のテレビジョン受像機。 
【請求項６】
前記予め登録された複数の制御コマンドは、前記接続されたコンピュータにおいて過去に起動されたアプリケーションを起動させるための制御コマンドを含むことを特徴とする請求項５に記載のテレビジョン受像機。 
【請求項７】
前記制御手段は、前記リモートコントローラにより入力された文字情報に基づいて、予め登録された複数の制御コマンドの中から特定の制御コマンドを判別し、前記操作キーに対応して前記特定の制御コマンドを設定することを特徴とする請求項４に記載のテレビジョン受像機。 
【請求項８】
前記リモートコントローラは、前記第１モードにおいてのみ有効化される専用の操作キーを有することを特徴とする請求項１から７のいずれか一項に記載のテレビジョン受像機。 
【請求項９】
前記通信手段は、ローカル・エリア・ネットワークを介して前記コンピュータに接続することを特徴とする請求項１から８のいずれか一項に記載のテレビジョン受像機。 
【請求項１０】
ネットワークを介してコンピュータと接続するための通信手段と、
映像を表示する表示手段と、
前記接続されたコンピュータを制御するための第１モードと該第１モードと異なる第２モードとで異なる機能が割り当てられた操作キーと、前記第１モードにおいてのみ有効化される操作キーと、を含む複数の操作キーを有し、それぞれの操作キーの操作に伴いリモコン信号を発信するリモートコントローラと、
前記リモコン信号を受信するリモコン信号受信手段と、
前記接続されたコンピュータを制御するための制御コマンドを記憶する記憶手段と、
前記リモコン信号受信手段によって受信されたリモコン信号に基づいて、前記所定の機能を実現させるための制御を行う制御手段と、を備え、
前記記憶手段は、
前記コンピュータにおいて一連の動作を実行させるための制御コマンドを前記操作キーに対応して記憶するとともに、前記操作キーに対応付けられた前記制御コマンドを変更可能に構成され、
前記制御手段は、
前記操作キーに対応付ける制御コマンドを、前記接続されたコンピュータにおいて過去に起動されたアプリケーションを起動させるための制御コマンドを含む予め登録された複数の制御コマンドの中から選択可能な形態で前記表示手段に表示させ、前記リモートコントローラからの入力に基づいて、前記操作キーに対応付ける制御コマンドを設定し、
前記リモコン信号受信手段によりリモコン信号が受信されたときのモードに応じて前記操作キーに割り当てられた機能を実現するための制御を行い、
前記第１モードでは、前記コンピュータから入力された映像データに基づいて前記コンピュータの画面表示を前記表示手段に出力させるとともに、
前記リモコン信号受信手段により受信されたリモコン信号に基づいて、対応する前記制御コマンドを前記コンピュータに送信することにより、前記コンピュータを制御することを特徴とするテレビジョン受像機。
【発明の詳細な説明】
【技術分野】
【０００１】
本発明は、テレビジョン受像機に関し、特に、テレビジョン受像機対応のリモートコントローラにより、テレビジョン受像機に接続されたコンピュータを操作する技術に関する。
【背景技術】
【０００２】
従来、テレビジョン受像機等のデジタル家電や複数のパーソナルコンピュータ（以下、パソコンと称する）、その他の周辺機器をネットワークを介して接続した家庭内ＬＡＮが普及している。
家庭内ＬＡＮにおいては、一のパソコンで、遠隔にある別のパソコンやプリンタ等を制御可能とする、いわゆるリモートＵＩ（User Interface）と呼ばれる技術が知られている。リモートＵＩを利用すると、例えば、ネットワーク接続された他のパソコンのＧＵＩ（Graphical User Interface）を制御したり、テレビジョン受像機の設定をしたりすることができる。
【０００３】
また、近年では、ＬＣＤ（Liquid Crystal Display）やＰＤＰ（Plasma Display Panel）の大画面化・高精細化に伴い、テレビジョン受像機はパソコンのモニタとしての用途にも耐え得るようになっている。このようなテレビジョン受像機においてリモートＵＩ機能を利用すると、遠隔にあるパソコンの表示画面を、視認性が低下することなく表示させることができる。
そして、テレビジョン受像機においてリモートＵＩ機能を利用する場合、パソコンの画面を表示させるだけでなく、テレビジョン受像機を介してパソコンを制御できることが望ましい。しかしながら、一般的なテレビジョン受像機は、マウスやキーボード等の操作手段を備えていないために、パソコンを扱うのと同様の方法を利用することはできない。
【０００４】
一方、テレビジョン受像機とパソコンを連携させる技術として、パソコンにおける映像コンテンツの視聴、電子メールの送受信、ウェブサイトの閲覧等の操作を、テレビジョン受像機側で可能とする技術が提案されている。
例えば、特許文献１，２には、パソコンの画面を表示可能なテレビジョン受像機において、リモートコントローラ（以下、リモコンと称する）を操作してテレビジョン受像機に制御信号を送信することで、パソコンを操作可能とする技術が開示されている。
具体的には、特許文献１では、リモコンのカーソルキーや決定キー、番組表キー等に、パソコンのＧＵＩにおいて有効な操作（例えば、カーソル操作、左クリック、右クリック等）を割り当てたり、有効な操作をメニュー表示してその中から選択させたりすることで、パソコンを操作可能としている。
また、特許文献３〜５には、パソコンをリモコン（テレビジョン受像機対応のものに限らない）により操作する技術が開示されている。
【０００５】
リモートＵＩ機能を備えたテレビジョン受像機に上記特許文献に記載の技術を適用することで、ネットワークを介して接続されたパソコンをテレビジョン受像機側で制御することが可能になると考えられる。
【特許文献１】特開２００３−２４４４７４号公報（特許第３８１５３４３号）
【特許文献２】特開平１０−１１６１４５号公報
【特許文献３】特開２００５−０１２７６０号公報
【特許文献４】特開平１０−２００９７２号公報
【特許文献５】特開２００１−１１７６７０号公報
【発明の開示】
【発明が解決しようとする課題】
【０００６】
しかしながら、テレビジョン受像機に対応するリモコンは、テレビジョン受像機における番組視聴に関する機能を実現するための必要最小限の操作キーだけしか備えていないので、キーボードやマウスによれば簡単な操作であっても煩雑なものとなってしまう。
通常、パソコンにおいて所望のアプリケーションを起動させるためには、例えば、デスクトップ画面上のアイコン（アプリケーションのショートカットアイコン）をダブルクリックすればよい。しかし、テレビジョン受像機のリモコンを利用して同様の制御を実行させるためには、例えば、カーソルキーを操作して所望のアイコンを選択した上で決定キーを操作する等、複数の操作が必要となり、操作性は必ずしも簡単であるとはいえない。
【０００７】
本発明は、リモートＵＩ機能を備えたテレビジョン受像機であって、ネットワーク接続されたコンピュータを制御する際の操作性を格段に向上できるテレビジョン受像機を提供することを目的とする。
【課題を解決するための手段】
【０００８】
上記目的を達成するため、請求項１に記載の発明は、テレビジョン受像機において、
コンピュータと接続するための通信手段と、
映像を表示する表示手段と、
所定の機能が割り当てられた複数の操作キーを有し、それぞれの操作キーの操作に伴いリモコン信号を発信するリモートコントローラと、
前記リモコン信号を受信するリモコン信号受信手段と、
前記接続されたコンピュータを制御するための制御コマンドを記憶する記憶手段と、
前記リモコン信号受信手段によって受信されたリモコン信号に基づいて、前記所定の機能を実現させるための制御を行う制御手段と、を備え、
前記記憶手段は、前記コンピュータにおいて一連の動作を実行させるための制御コマンドを、前記操作キーに対応して記憶し、
前記制御手段は、
前記接続されたコンピュータを制御するための第１モードにおいて、前記コンピュータから入力された映像データに基づいて前記コンピュータの画面表示を前記表示手段に出力させるとともに、
前記リモコン信号受信手段により受信されたリモコン信号に基づいて、対応する前記制御コマンドを前記コンピュータに送信することにより、前記コンピュータを制御することを特徴とする。
【０００９】
請求項２に記載の発明は、請求項１に記載のテレビジョン受像機において、
前記複数の操作キーの一部又は全部には、前記第１モードと該第１モードと異なる第２モードとで異なる機能が割り当てられ、
前記制御手段は、前記リモコン信号受信手段によりリモコン信号が受信されたときのモードに応じて前記操作キーに割り当てられた機能を実現するための制御を行うことを特徴とする。
【００１０】
請求項３に記載の発明は、請求項２に記載のテレビジョン受像機において、
前記制御手段は、前記第１モードにおいて、前記リモコン信号受信手段により特定のリモコン信号が受信された場合に、その後に受信されたリモコン信号については、前記第１モード用として割り当てられた機能を実現するための制御を行うことを特徴とする。
【００１１】
請求項４に記載の発明は、請求項１から３のいずれか一項に記載のテレビジョン受像機において、
前記記憶手段は、前記操作キーに対応付けられた前記制御コマンドを変更可能に構成されていることを特徴とする。
【００１２】
請求項５に記載の発明は、請求項４に記載のテレビジョン受像機において、
前記制御手段は、前記操作キーに対応付ける制御コマンドを、予め登録された複数の制御コマンドの中から選択可能な形態で前記表示手段に表示させ、
前記リモートコントローラからのリモコン信号に基づいて、前記操作キーに対応付ける制御コマンドを設定することを特徴とする。
【００１３】
請求項６に記載の発明は、請求項５に記載のテレビジョン受像機において、
前記予め登録された複数の制御コマンドは、前記接続されたコンピュータにおいて過去に起動されたアプリケーションを起動させるための制御コマンドを含むことを特徴とする。
【００１４】
請求項７に記載の発明は、請求項４に記載のテレビジョン受像機において、
前記制御手段は、前記リモートコントローラにより入力された文字情報に基づいて、予め登録された複数の制御コマンドの中から特定の制御コマンドを判別し、前記操作キーに対応して前記特定の制御コマンドを設定することを特徴とする。
【００１５】
請求項８に記載の発明は、請求項１から７のいずれか一項に記載のテレビジョン受像機において、
前記リモートコントローラは、前記第１モードにおいてのみ有効化される専用の操作キーを有することを特徴とする。
【００１６】
請求項９に記載の発明は、請求項１から８のいずれか一項に記載のテレビジョン受像機において、
前記通信手段は、ローカル・エリア・ネットワークを介して前記コンピュータに接続することを特徴とする。
【００１７】
請求項１０に記載の発明は、テレビジョン受像機において、
ネットワークを介してコンピュータと接続するための通信手段と、
映像を表示する表示手段と、
前記接続されたコンピュータを制御するための第１モードと該第１モードと異なる第２モードとで異なる機能が割り当てられた操作キーと、前記第１モードにおいてのみ有効化される操作キーと、を含む複数の操作キーを有し、それぞれの操作キーの操作に伴いリモコン信号を発信するリモートコントローラと、
前記リモコン信号を受信するリモコン信号受信手段と、
前記接続されたコンピュータを制御するための制御コマンドを記憶する記憶手段と、
前記リモコン信号受信手段によって受信されたリモコン信号に基づいて、前記所定の機能を実現させるための制御を行う制御手段と、
を備え、
前記記憶手段は、
前記コンピュータにおいて一連の動作を実行させるための制御コマンドを前記操作キーに対応して記憶するとともに、前記操作キーに対応付けられた前記制御コマンドを変更可能に構成され、
前記制御手段は、
前記操作キーに対応付ける制御コマンドを、前記接続されたコンピュータにおいて過去に起動されたアプリケーションを起動させるための制御コマンドを含む予め登録された複数の制御コマンドの中から選択可能な形態で前記表示手段に表示させ、前記リモートコントローラからの入力に基づいて、前記操作キーに対応付ける制御コマンドを設定し、
前記リモコン信号受信手段によりリモコン信号が受信されたときのモードに応じて前記操作キーに割り当てられた機能を実現するための制御を行い、
前記第１モードでは、前記コンピュータから入力された映像データに基づいて前記コンピュータの画面表示を前記表示手段に出力させるとともに、
前記リモコン信号受信手段により受信されたリモコン信号に基づいて、対応する前記制御コマンドを前記コンピュータに送信することにより、前記コンピュータを制御することを特徴とする。
【発明の効果】
【００１８】
本発明によれば、リモートＵＩ機能を備えたテレビジョン受像機により、当該テレビジョン受像機にネットワークを介して接続されたコンピュータを制御する際の操作性を格段に向上できる。
ユーザは、リモートＵＩモードにおいて、リモコンの所定の操作キー（例えば、数字キーやファンクションキー）を操作するだけで、コンピュータに一連の動作（例えば、所定のアプリケーションの起動又は終了や、デスクトップ画面の表示）を実行させることができるので、リモートＵＩ機能を有効かつ容易に利用することができる。
【発明を実施するための最良の形態】
【００１９】
以下、本発明の実施の形態を図面に基づいて説明する。
図１は、本発明に係るテレビジョン受像機１を利用した家庭内ＬＡＮの概略を示す説明図である。
図１に示すように、家庭内ＬＡＮは、例えば、テレビジョン受像機１と、パーソナルコンピュータ（以下、パソコンと称する）２と、がネットワークＮに接続されて構築される。ここで、ネットワークＮは、例えば、ローカルエリアネットワーク（ＬＡＮ）であり、有線ＬＡＮ、無線ＬＡＮを問わない。
なお、図１では、テレビジョン受像機１とパソコン２が１台ずつ接続された家庭内ＬＡＮについて例示しているが、これらの台数を限定するものではなく、その他、プリンタやインターネットに接続するためのモデム等の周辺機器が接続されてもよい。
【００２０】
本実施形態のテレビジョン受像機１は、例えば、地上波デジタル放送を受信する機能を備え、対応するリモートコントローラ（以下、リモコンと称する）２０により遠隔操作可能となっている。
また、本実施形態では、リモコン２０において所定の操作を行うにより、ネットワーク接続されたパソコン２を制御することができる。すなわち、テレビジョン受像機１は、いわゆるリモートＵＩ機能を備えている。
例えば、テレビジョン受像機１において、所定の操作（例えば、メニュー画面においてリモートＵＩモードを選択・決定する操作）がなされた場合にリモートＵＩ機能が有効となる。以下、リモートＵＩ機能が有効になっているモードをリモートＵＩモードと呼び、通常の番組を試聴するモードを番組視聴モードと呼ぶこととする。
【００２１】
テレビジョン受像機１において、リモートＵＩ機能が有効化されると、番組視聴モードからリモートＵＩモードに遷移し、テレビジョン受像機１の表示部１７１にはパソコン２のＧＵＩ（例えば、デスクトップ画面）が表示される。
テレビジョン受像機１は、リモートＵＩモードにおいて、リモコン２０から送信されたリモコン信号を受信すると、このリモコン信号に対応する制御コマンド（パソコン２を制御するためのコマンド）を、ネットワークＮを介してパソコン２に送信する。そして、パソコン２は、受信した制御コマンドに基づいて制御を行う。
例えば、リモコン２０により所定のアプリケーション（例えば、ＷＥＢブラウザ）を起動させるためのリモコン信号が送信されると、パソコン２において所定のアプリケーションが起動されることとなる。また、リモートＵＩモードにおいては、アプリケーションの起動の他、起動したアプリケーション上での操作や、起動したアプリケーションの終了等を行うことができる。
【００２２】
図２は、本実施形態に係るテレビジョン受像機１の要部構成を例示するブロック図である。
図２に示すように、テレビジョン受像機１は、制御部１０，アンテナ１１、チューナ１２，復調部１３，ＴＳ分離部１４，デコード部１５，信号処理部１６，出力部１７，通信部１８，赤外線受光部１９、リモコン２０、操作部２１、等を備えて構成されており、各部はバス２２により電気的に接続されている。
【００２３】
アンテナ１１は、例えば、地上デジタルアンテナ等であり、屋外において所定の方向に向けて配置され、図示しないテレビジョン放送局等から発信される高周波のデジタルテレビジョン放送信号（ＲＦ信号）を受信する。
【００２４】
チューナ１２は、アンテナ１１により受信された放送信号（ＲＦ信号）から所定の周波数帯の放送信号を選局する。チューナ１２は、例えば、図示しない高周波増幅回路と、局部発振回路及び混合回路から成る周波数変換回路（ミキサ）と、を備えて構成されている。アンテナ１１から入力されたＲＦ信号は、高周波増幅回路において増幅される。増幅されたＲＦ信号は、混合回路において局部発振回路から出力される局部発振信号と混合され、特定周波数帯の中間周波信号（ＩＦ信号）に変換される。そして、ＩＦ信号は、所定の処理（例えば、Ａ／Ｄ変換処理）を施された後、復調部１３に出力される。
【００２５】
復調部１３は、チューナ１２により選局された放送信号を復調し、トランスポートストリーム（ＭＰＥＧ２−ＴＳ）を生成する。復調部１３は、例えば、チューナ１２から出力されたＩＦ信号に対して、ＯＦＤＭ（Orthogonal Frequency Division Multiplexing）復調等のデジタル復調処理、さらに誤り訂正処理等を施してＴＳを生成する。
【００２６】
ＴＳ分離部１４は、復調部１３により復調されたＴＳから、ＴＳを構成する各種パケット（ＴＳパケット）を分離抽出する。ＴＳパケットには、例えば、ビデオストリーム、オーディオストリーム、ＰＳＩ（Program Specific Information:番組特定情報）／ＳＩ（Service Information: 番組配列情報）が含まれる。
【００２７】
信号処理部１５は、ビデオデコーダ１６１とオーディオデコーダ１５２を備える。ビデオデコーダ１５１は、ＴＳ分離部１４により分離されたＴＳパケットのうちＭＰＥＧ２（Moving Picture Experts Group 2）規格下のビデオストリームを復号して、非圧縮のデジタル映像信号を生成する。オーディオデコーダ１５２は、ＴＳ分離部１４により分離されたＴＳパケットのうちオーディオストリームを復号して、非圧縮のデジタル音声信号を生成する。
【００２８】
信号処理部１６は、映像処理部１６１と音声処理部１６２を備える。映像処理部１６１は、ビデオデコーダ１５１により復号された映像信号に対して所定の映像処理を行う。音声処理部１６２は、オーディオデコーダ１５２により復号された音声信号に対してＤ／Ａ変換等の所定の音声処理を行う。
【００２９】
出力部１７は、表示部１７１と音声出力部１７２を備える。表示部１７１は、例えば、ＬＣＤ（Liquid Crystal Display）、ＰＤＰ（Plasma Display Panel）等のディスプレイを備えて構成され、映像処理部１６１により処理された映像信号に基づく映像をディスプレイに表示する。音声出力部１７２は、例えば、スピーカ等を備えて構成され、音声処理部１６２により処理された音声信号に基づく音声をスピーカから出力する。
【００３０】
通信部１８は、テレビジョン受像機１をネットワークＮに接続するためのＬＡＮインターフェースである。通信部１８は、例えば、ＴＣＰ／ＩＰ（Transmission Control Protocol/Internet Protocol）などのプロトコル処理を行い、ネットワークＮに接続されている他の機器（例えば、図１のパソコン２）とデータ等を送受信する。また、通信部１８は、リモートＵＩモードにおいて、ネットワーク接続されたパソコン２からの映像データを入力するとともに、パソコン２に当該パソコン２を制御するための制御コマンドを出力する。また、本実施形態では、ＬＡＮを利用しているので、通信部１８は、ネットワークＮに接続されたモデムを介して容易にインターネットに接続することができる。
【００３１】
赤外線受光部１９は、例えば、テレビジョン受像機１の前面パネルに設けられ、リモコン２０からのリモコン信号（赤外線信号）を受信する。そして、受信したリモコン信号を増幅、復調し、さらに、波形整形、誤り訂正等の各種処理を施して、制御部１０に対して出力する。
【００３２】
操作部２１は、例えば、テレビジョン受像機１の前面パネルに設けられた複数のスイッチで構成され、リモコン２０と併せて、ユーザがテレビジョン受像機１の機能の切換え、調整、動作設定等を行なう際に操作される。
【００３３】
制御部１０は、例えば、ＣＰＵ（Central Processing Unit）１０１、ＲＡＭ（Random Access Memory）１０２、ＲＯＭ（Read Only Memory）１０３と、を備えて構成され、テレビジョン受像機１全体を統括制御する。
ＣＰＵ１０１は、テレビジョン受像機１の各部から入力された入力信号や、リモコン２０における各種キーの押下操作によって入力されたリモコン信号等に応じて、ＲＯＭ１０３に格納された各種プログラムを実行し、テレビジョン受像機１の各部に制御信号を出力する。
ＲＡＭ１０２は、揮発性メモリで構成され、ＣＰＵ１０１によって各種プログラムが実行される際に生じる処理結果や、入力されたデータ等をワークエリアに記憶する。
【００３４】
ＲＯＭ１０３は、例えば、ＥＰＲＯＭ（Erasable Programmable ROM）等の書込・消去可能な不揮発性メモリで構成され、ＣＰＵ１０１によって処理を実行するための各種プログラム、例えば、リモートＵＩモードや番組視聴モードにおいて実行される制御プログラム、赤外線受光部１９で受信したリモコン信号に対応する機能を実現させるためのプログラム、パソコン２に送信する制御コマンド、及び受信したリモコン信号を識別するためのデータ等を記憶している。
ここで、パソコン２を制御するための制御コマンドとは、例えば、Ｍｉｃｒｏｓｏｆｔ  Ｗｉｎｄｏｗｓ（登録商標）やＭａｃＯＳ等のオペレーティングシステム（ＯＳ）上で、所定の機能を実行させるためのコマンドであり、ＯＳごとに対応した形式で記憶されている。
【００３５】
上述したように、本実施形態のテレビジョン受像機１は、ネットワーク（例えば、ＬＡＮ）Ｎを介してパソコン２と接続するための通信部（通信手段）１８と、映像を表示する表示部（表示手段）１７１と、リモコン信号を受信する赤外線受光部（リモコン信号受信手段）１９と、ネットワークＮに接続されたパソコン２を制御するための制御コマンドを記憶するＲＯＭ１０３（記憶手段）と、赤外線受光部１９によって受信されたリモコン信号に基づいて、所定の機能を実現させるための制御を行う制御部（制御手段）１０と、を備えて構成される。
【００３６】
図３は、テレビジョン受像機１に対応するリモコン２０の操作キー配列の具体例を示す説明図である。
【００３７】
図３に示すように、リモコン２０は、ユーザがテレビジョン受像機１に対して各種指示を入力するための複数の操作キーを有する。
すなわち、リモコン２０は、テレビジョン受像機１の電源をオン／オフさせるための電源キー２０１、チャンネルを直接的に選局する場合等に操作する数字キー２０２、音量を増大／減少させるための音量調整キー２０３、画面上の項目を選択するためのカーソルキー２０４、カーソルキー２０４で選択した項目を登録するための決定キー２０５、表示画面を戻す際等に使用する戻るキー２０６、設定メニューを表示させるためのメニューキー２０７、リモートＵＩモードにおいて利用されるファンクションキー（Ｆキー）２０８、リモートＵＩモードにおいて数字キー２０２により指示する機能を切り換えるためのセレクトキー２０９、等の操作キーを備える。なお、リモコン２０は、チャンネル選局を連続的に実行させるためのチャンネルアップ／ダウンキーや、表示中の画面（例えば、番組視聴画面やＥＰＧ画面等）に応じて異なる機能を割り当てられるカラーキーを備える構成としてもよい。
【００３８】
上述したように、それぞれの操作キーには、テレビジョン受像機１に実行させる機能が割り当てられている。リモコン２０からリモコン信号が送信されると、制御部１０は受信したリモコン信号を判別し、このリモコン信号に対応するプログラムを実行することにより、操作キーに割り当てられた機能を実現する。
【００３９】
具体的には、リモコン２０に備わる操作キーの各々には識別情報が割り当てられており、リモコン２０の所定の記憶領域に記憶されている。ユーザによりキー操作が行われると、操作されたキーの識別情報が読み出されて、当該識別情報に対応するリモコン信号が生成される。そして、生成されたリモコン信号が図示しない送信部から送信され、テレビジョン受像機１の赤外線受光部１９において受信される。つまり、リモコン２０は、それぞれの操作キーの操作に伴い対応するリモコン信号を発信する。
一方、制御部１０は、入力されたリモコン信号から識別情報を取得し、取得した識別情報に基づいて操作されたキーの判別を行う。そして、受信したリモコン信号に対応するプログラムをＲＯＭ１０３から読み出し、操作キーに割り当てられた所定の機能を実現するための制御を行う。
【００４０】
図４は、各操作キーに割り当てられる機能の一例について示した説明図である。すなわち、ＲＯＭ１０３には、それぞれの操作キーが操作されたときに、図４に示す機能を実現させるためのプログラムが記憶されており、ＣＰＵ１０１は受信したリモコン信号を判別し、対応するプログラムを実行することにより操作キーに割り当てられた機能を実現する。
図４に示すように、操作キーによっては、リモートＵＩモードか番組視聴モードかによって割り当てられる機能が異なる（例えば、数字キー２０２やカーソルキー２０４等）。
【００４１】
電源キー２０１には、リモートＵＩモード及び番組視聴モードにおいて、テレビジョン受像機１の電源をオン／オフさせる機能が割り当てられている。
【００４２】
数字キー２０２には、リモートＵＩモードにおいて、テレビジョン受像機１からパソコン２に所定の制御コマンドを送信させる機能が割り当てられている。また、数字キー２０２には、番組視聴モードにおいて、チャンネルを直接的に選局する機能が割り当てられている。すなわち、数字キー２０２には、リモートＵＩモードと番組視聴モードとで異なる機能が割り当てられている。
セレクトキー２０９には、リモートＵＩモードにおいて、数字キー２０２により指示する機能を切り換える機能が割り当てられている。なお、番組視聴モードにおけるセレクトキー２０９の操作は無効とされる。
【００４３】
すなわち、本実施形態では、リモートＵＩモードにおける数字キー２０２の機能は、リモートＵＩモードが起動された後、セレクトキー２０９が操作されるごとに切り換えられる。例えば、番組視聴モードからリモートＵＩモードに切り換えられた後、単に数字キー２０２が操作された場合は、リモーＵＩモードから番組視聴モードに遷移してチャンネルの選局が行われることとなる。一方、番組視聴モードからリモートＵＩモードに切り換えられ、セレクトキー２０９が操作された後、数字キー２０２が操作された場合は、操作された数字キー２０２に対応付けられた制御コマンドがパソコン２に送信されることとなる。
【００４４】
ここで、リモートＵＩモードにおいて数字キー２０２が操作されたときに、パソコン２に送信される制御コマンドは、数字キー２０２ごとに対応して設定されている。この数字キー２０２に対応して設定される制御コマンドは、カーソルキー２０４や決定キー２０５を操作したときにパソコン２に送信される制御コマンドとは異なり、パソコン２において一連の動作（例えば、所定のアプリケーションの起動又は終了や、デスクトップの表示）を実行させるための制御コマンドである。数字キー２０２に対応付けられる制御コマンドの設定は、ＲＯＭ１０３に記憶されている。
【００４５】
図５は、数字キー２０２と制御コマンドの対応関係の一例を示す説明図である。
図５では、数字キー２０２の［１］に“デスクトップの表示”のための制御コマンドが設定され、数字キー２０２の［２］に“ＷＥＢブラウザ”を起動させるための制御コマンドが設定され、数字キー２０２の［３］に“マルチメディアプレイヤー”を起動させるための制御コマンドが設定され、数字キー２０２の［０］に“アプリケーションの終了”のための制御コマンドが設定されている場合を示している。
【００４６】
ここで、ＷＥＢブラウザとは、例えば、ＩＥ（Internet Explorer；マイクロソフト社製）等のＷＥＢサイトを閲覧するためのアプリケーションソフトであり、インターネットからＨＴＭＬファイルなどをダウンロードし、レイアウトを解析して表示する。また、マルチメディアプレイヤーとは、インターネットやディスクドライブに装着された記憶メディアから取得された映像コンテンツ又は音声コンテンツを再生するためのアプリケーションソフトである。
なお、図５では省略しているが、数字キー２０２の［４］〜［９］にも、パソコン２に所定の動作を実行させるための制御コマンドが設定される。例えば、パソコン２に電子メールソフト等のアプリケーションの起動を実行させるための制御コマンドが設定される。
【００４７】
図４に戻り、音量調整キー２０３には、リモートＵＩモード及び番組視聴モードにおいて、音声出力部１７２から出力する音声の音量を増加又は減少させる機能が割り当てられている。なお、音量調整キー２０３には、リモートＵＩモードにおいて、パソコン２側で出力される音声の音量を増加又は減少させる制御コマンドを、パソコン２に送信させる機能を割り当てるようにしてもよい。
【００４８】
カーソルキー２０４には、リモートＵＩモードにおいて、テレビジョン受像機１からパソコン２に所定の制御コマンドを送信させる機能が割り当てられている。また、カーソルキー２０４には、番組視聴モードにおいて、例えば、ＥＰＧやメニュー画面が表示された状態で、選択項目を所定の方向に遷移させる機能が割り当てられている。
例えば、リモートＵＩモードにおいてカーソルキー２０４の［上］が操作されると、パソコン２においてキーボードの上キーが操作されたときと同様の制御（例えば、ＧＵＩ上で選択アイコンが上に遷移する等）を実行させるための制御コマンドがテレビジョン受像機１からパソコン２に送信される。また、カーソルキー２０４の［下］、［左］、［右］についても同様である。
【００４９】
決定キー２０５には、リモートＵＩモードにおいて、テレビジョン受像機１からパソコン２に所定の制御コマンドを送信させる機能が割り当てられている。また、決定キー２０５には、番組視聴モードにおいて、選択項目を登録する機能が割り当てられている。
例えば、リモートＵＩモードにおいて決定キー２０５が操作されると、パソコン２においてキーボードのリターンキーが操作されたときと同様の制御（例えば、ＧＵＩ上で選択アイコンを開く等）を実行させるための制御コマンドがテレビジョン受像機１からパソコン２に送信される。
【００５０】
戻るキー２０６には、番組視聴モードにおいて、表示画面を一つ前に戻す機能が割り当てられている。なお、リモートＵＩモードにおける戻るキー２０６の操作は無効とされる。
メニューキー２０７には、リモートＵＩモード及び番組視聴モードにおいて、メニュー画面を表示／非表示させる機能が割り当てられている。メニューキー２０７が操作されると、例えば、各種設定を行うメニュー画面が表示される。そして、このメニュー画面においてリモートＵＩモードを選択・決定する操作がなされた場合にリモートＵＩモードが起動される。
【００５１】
Ｆキー２０８には、リモートＵＩモードにおいて、テレビジョン受像機１からパソコン２に所定の制御コマンドを送信させる機能が割り当てられている。なお、番組視聴モードにおけるＦキー２０８の操作は無効とされる。つまり、Ｆキー２０８は、リモートＵＩモードにおいてのみ有効化される専用の操作キーである。リモートＵＩモードにおいて、このＦキー２０８を操作することにより、パソコン２を容易に制御することができる。
【００５２】
ここで、リモートＵＩモードにおいてＦキー２０８が操作されたときに、パソコン２に送信される制御コマンドは、Ｆキー２０８ごとに対応して設定されている。このＦキー２０８に対応して設定される制御コマンドは、カーソルキー２０４や決定キー２０５を操作したときにパソコン２に操作される制御コマンドとは異なり、パソコン２において一連の動作（例えば、所定のアプリケーションの起動又は終了や、デスクトップの表示）を実行させるための制御コマンドである。Ｆキー２０８に対応付けられる制御コマンドの設定は、ＲＯＭ１０３に記憶されている。
【００５３】
図６は、Ｆキー２０８と制御コマンドの対応関係の一例を示す説明図である。
図６では、Ｆ１キー２０８ａに“デスクトップの表示”のための制御コマンドが設定され、Ｆ２キー２０８ｂに“ＷＥＢブラウザ”を起動させるための制御コマンドが設定され、Ｆ３キー２０８ｃに“マルチメディアプレイヤー”を起動させるための制御コマンドが設定され、Ｆ４キー２０８ｄに“アプリケーションの終了”のための制御コマンドが設定されている場合を示している。
【００５４】
なお、図５，６に示す例では、数字キー２０２の［１］〜［３］、［０］に対応する制御コマンドと、Ｆ１キー２０８ａ〜Ｆ４キー２０８ｄに対応する制御コマンドは同じとなっているが、異なる制御コマンド（例えば、異なるアプリケーションの起動等）を設定するようにしてもよい。
【００５５】
上述したように、本実施形態のリモコン２０は、所定の機能が割り当てられた複数の操作キー２０１〜２０９を有し、それぞれの操作キーの操作に伴いリモコン信号を発信する。また、数字キー２０２，カーソルキー２０４，決定キー２０５、及びＦキー２０８には、制御コマンドをパソコン２に送信させる機能が割り当てられており、ＲＯＭ１０３には、これらの操作キーに対応する所定の制御コマンドが記憶されている。
特に、数字キー２０２及びＦキー２０８には、パソコン２において一連の動作を実行させるための制御コマンドが対応付けられている。
【００５６】
そして、制御部１０は、赤外線受光部１９によりリモコン信号が受信されたときのモード（リモートＵＩモード又は番組視聴モード）に応じて、操作キー２０２〜２０９に割り当てられた機能を実現するための制御を行う。
これにより、リモコン２０が備える数少ない操作キー２０２〜２０９を有効に活用して、リモートＵＩモードを利用することができる。特に、数字キー２０２、Ｆキー２０８によれば、簡単な操作でパソコン２に一連の動作を実行させることができるので、操作性が格段に向上する。
【００５７】
また、制御部１０は、リモートＵＩモードにおいて、赤外線受光部１９によりセレクトキー２０９の操作によるリモコン信号が受信された場合、その後の数字キー２０２の操作に伴うリモコン信号については、リモートＵＩモード用として割り当てられた機能を実現するための制御を行う。
つまり、リモートＵＩモードが起動されている場合でも、セレクトキー２０９を操作しない限り、数字キー２０２の操作によりチャンネルの選局が行われることとなる。これにより、リモートＵＩモードを簡単に終了させることができ、テレビジョン受像機１における番組視聴を復帰できるので、利便性が向上する。
【００５８】
以下に、リモートＵＩモードにおける制御処理について説明する。
図７は、リモートＵＩモードにおける制御処理の一例について示したフローチャートである。この制御処理は、ＣＰＵ１０１がＲＯＭ１０３内の制御プログラムを実行することにより実現される。
なお、テレビジョン受像機１において、パソコン２との間で通信を可能とするための通信設定（例えば、ＩＰアドレス等の設定）は予めなされているものとする。
【００５９】
ステップＳ１０１では、リモートＵＩモードが起動されたか判定する。例えば、メニューキー２０７が操作されることに伴い表示されるメニュー画面において、リモートＵＩモードを選択・決定する操作がなされた場合にリモートＵＩモードが起動される。そして、リモートＵＩモードが起動されたと判定した場合は、ステップＳ１０２に移行する。一方、リモートＵＩモードが起動されていないと判定した場合は、この制御処理は進行されない。この場合、別のプログラムの実行により、番組視聴モードにおける制御処理がなされることとなる。
【００６０】
ステップＳ１０２では、ネットワークＮに接続されたパソコン２のＧＵＩを表示部１７１に表示させる。例えば、リモートＵＩモードが起動されると、通信部１８によりパソコン２との通信状態が確立され、パソコン２とのデータの送受信が可能となる。そして、パソコン２から、このパソコン２のＧＵＩを表示するための映像データがテレビジョン受像機１に送信されるので、この映像データに基づいてパソコン２のＧＵＩを表示部１７１に出力する。
【００６１】
ステップＳ１０３では、リモートＵＩモードが起動されている状態で、赤外線受光部１９によりリモコン信号が受信されたか判定する。そして、リモコン信号が受信されたと判定した判定した場合はステップＳ１０４に移行し、リモコン信号が受信されていないと判定した場合はステップＳ１０３の処理を繰り返す。
【００６２】
ステップＳ１０４では、受信されたリモコン信号がリモートＵＩモード用のリモコン信号であるか判定する。具体的には、受信されたリモコン信号から識別情報を取得し、取得した識別情報に基づいて操作されたキーの判別を行う。そして、受信したリモコン信号の種別を特定し、受信されたリモコン信号がリモートＵＩモード用のリモコン信号か判定する。
例えば、図４に示すように、リモートＵＩモード用の機能が割り当てられた操作キー、すなわち、数字キー（ただし、セレクトキー２０９が操作されリモートＵＩ用の機能が有効となっている場合）２０２、カーソルキー２０４，決定キー２０５，Ｆキー２０８が操作されることに伴い発信されたリモコン信号が、リモートＵＩモード用のリモコン信号となる。
そして、ステップＳ１０４においてリモートＵＩモード用のリモコン信号であると判定した場合はステップＳ１０５に移行し、リモートＵＩモード用のリモコン信号でないと判定した場合はステップＳ１０６に移行する。
【００６３】
ステップＳ１０５では、操作された操作キーに対応付けられた制御コマンドを、ネットワークＮに接続されたパソコン２に送信する。パソコン２では、送信された制御コマンドが解析され、これに基づく制御が行われ、例えば、画面表示が更新される。このとき、テレビジョン受像機１の表示部１７１には、更新された画面表示が反映されることとなる。
【００６４】
例えば、数字キー２０２に対応する制御コマンドが図５に示すように設定されていた場合、数字キー２０２の［１］が操作されると、パソコン２においてデスクトップ画面を表示させるための制御コマンドをテレビジョン受像機１からパソコン２に送信する。パソコン２では、受信した制御コマンドに基づいてデスクトップ画面が表示される。
数字キー２０２の［２］が操作されると、ＷＥＢブラウザを起動させるための制御コマンドをテレビジョン受像機１からパソコン２に送信する。パソコン２では、受信した制御コマンドに基づいてＷＥＢブラウザが起動される。
数字キー２０２の［３］が操作されると、マルチメディアプレイヤーを起動させるための制御コマンドをテレビジョン受像機１からパソコン２に送信する。パソコン２では、受信した制御コマンドに基づいてマルチメディアプレイヤーが起動される。
数字キー２０２の［０］が操作されると、起動されているアプリケーション（アクティブとなっているアプリケーション）を終了させるための制御コマンドをテレビジョン受像機１からパソコン２に送信する。パソコン２では、受信した制御コマンドに基づいて起動されているアプリケーションが終了される。
【００６５】
また例えば、Ｆキー２０８に対応する制御コマンドが図６に示すように設定されていた場合、Ｆ１キー２０８ａが操作されると、パソコン２においてデスクトップ画面を表示させるための制御コマンドをテレビジョン受像機１からパソコン２に送信する。パソコン２では、受信した制御コマンドに基づいてデスクトップ画面が表示される。
Ｆ２キー２０８ｂが操作されると、ＷＥＢブラウザを起動させるための制御コマンドをテレビジョン受像機１からパソコン２に送信する。パソコン２では、受信した制御コマンドに基づいてＷＥＢブラウザが起動される。
Ｆ３キー２０８ｃが操作されると、マルチメディアプレイヤーを起動させるための制御コマンドをテレビジョン受像機１からパソコン２に送信する。パソコン２では、受信した制御コマンドに基づいてマルチメディアプレイヤーが起動される。
Ｆ４キー２０８ｄが操作されると、起動されているアプリケーション（アクティブとなっているアプリケーション）を終了させるための制御コマンドをテレビジョン受像機１からパソコン２に送信する。パソコン２では、受信した制御コマンドに基づいて起動されているアプリケーションが終了される。
【００６６】
このように、ユーザは、数字キー２０２やＦキー２０８を押下するという極めて簡単な操作により、パソコン２において、アプリケーションの起動又は終了等の一連の動作を実行させることができる。すなわち、数字キー２０２やＦキー２０８は、パソコン２において一連の動作を実行させるショートカットキーとなる。
【００６７】
また、カーソルキー２０４の［上］が操作されると、パソコン２においてキーボードの上キーが操作されたときと同様の制御（例えば、ＧＵＩ上で選択アイコンが上に遷移する等）を実行させるための制御コマンドをテレビジョン受像機１からパソコン２に送信する。カーソルキー２０４の［下］、［左］、［右］についても同様である。
決定キー２０５が操作されると、パソコン２においてキーボードのリターンキーが操作されたときと同様の制御（例えば、ＧＵＩ上で選択アイコンを開く等）を実行させるための制御コマンドをテレビジョン受像機１からパソコン２に送信する。
パソコン２においてアプリケーションが起動された状態では、主としてカーソルキー２０４と決定キー２０５を利用してアプリケーションを操作することとなる。
【００６８】
一方、ステップＳ１０６では、受信されたリモコン信号に基づいて、操作されたキーに割り当てられた機能を実現するための所定の制御を行う。例えば、電源キー２０１が操作されると、テレビジョン受像機１の電源をオフする。音量調整キー２０３が操作されると、音声出力部１７２から出力する音量を増減する。メニューキー２０７が操作されると、メニュー画面をＯＳＤ表示する。
また、リモートＵＩモードが起動された後、リモートＵＩモード用の機能が有効となっていない状態（例えば、セレクトキー２０９が操作される前など）で数字キー２０２が操作された場合は、番組視聴モードに遷移し（リモートＵＩモードは終了）チャンネルを選局する。
【００６９】
ステップＳ１０７では、リモートＵＩモードが終了されたか判定する。例えば、メニュー画面において、リモートＵＩモードの終了が選択・決定された場合、電源キー２０１が操作された場合、リモートＵＩモード用の機能が有効となっていない状態で数字キー２０２が操作された場合にリモートＵＩモードは終了となる。
そして、リモートＵＩモードが終了されたと判定した場合は、この制御処理を終了する。一方、リモートＵＩモードが終了されていないと判定した場合は、ステップＳ１０３以降の処理を繰り返す。
【００７０】
上述したように、テレビジョン受像機１によれば、リモコン２０を利用してネットワークＮに接続されたパソコン２を制御する際の操作性を格段に向上できる。
ユーザは、リモートＵＩモードにおいて、リモコンの所定の操作キー（例えば、数字キー２０２やＦキー２０８）を操作するだけで、コンピュータに一連の動作（例えば、所定のアプリケーションの起動又は終了や、デスクトップ画面の表示）を実行させることができるので、リモートＵＩ機能を有効かつ容易に利用することができる。
【００７１】
さらに、テレビジョン受像機１では、数字キー２０２やＦキー２０８に対応付けられたリモートＵＩモード用の制御コマンド（図５，６参照）を変更することができる。すなわち、ＲＯＭ１０３は、数字キー２０２やＦキー２０８に対応付けられた制御コマンドを変更可能に構成されている。
【００７２】
図８は、Ｆキー２０８と、それに対応付けられる制御コマンドを示す表示画面の一例である。例えば、メニューキー２０７の操作に伴い表示されるメニュー画面において、Ｆキー２０８に対応付けられている制御コマンドを確認（又は変更）するための項目が選択・決定されることにより表示される。
図８は、Ｆ１キー２０８ａに“ＷＥＢブラウザ”を起動させるための制御コマンドが設定され、Ｆ２キー２０８ｂに“デスクトップの表示”のための制御コマンドが設定され、Ｆ３キー２０８ｃに“フォトビューワ”を起動させるための制御コマンドが設定され、Ｆ４キー２０８ｄに“アプリケーションの終了”のための制御コマンドが設定されているときの表示画面である。
図８に示すように、表示画面Ｄの左領域には、操作キー（Ｆ１〜Ｆ４キー）を示す項目Ｉ１〜Ｉ４が表示されており、それぞれの操作キーに対応付けられた制御コマンド名Ｃ１〜Ｃ４が各項目Ｉ１〜Ｉ４に対応して表示されている。
【００７３】
この表示画面Ｄにおいて、制御コマンド名Ｃ１〜Ｃ４の何れかが選択・決定されると、Ｆキー２０８に対応付けられた制御コマンドを変更するための画面に遷移する。
図９は、Ｆキー２０８に対応付けられた制御コマンドを変更するときの表示画面の一例である。図９では、図８に示す表示画面Ｄにおいて、制御コマンド名Ｃ１が選択・決定された場合を示している。
【００７４】
図９に示すように、Ｆ１キー２０８ａに対応付けられた制御コマンド名Ｃ１が選択・決定されると、設定可能な制御コマンドのリストがドロップダウンメニューＭにより表示される。図９では、設定可能な制御コマンドとして、“ＷＥＢブラウザ”、“マルチメディアプレイヤー”、“フォトビューワ”、“文字入力”、の起動を指示する制御コマンドがドロップダウンメニューＭに表示され、その中の“マルチメディアプレイヤー”が選択された状態を示している。
【００７５】
そして、図９に示す表示画面Ｄ１において、ユーザがカーソルキー２０４，決定キー２０５を操作することにより、ドロップダウンメニューＭから所望の制御コマンドを選択・決定すると、ＲＯＭ１０３内の情報が更新され、変更後の制御コマンドがＦ１キー２０８ａに対応付けて記憶されることとなる。
【００７６】
ここで、ドロップダウンメニューＭには、ネットワークＮに接続されているパソコン２のＯＳに応じて予めＲＯＭ１０３内に登録されている制御コマンド、例えば、ＯＳに付属してインストールされるＷＥＢブラウザや電子メールソフト等の基本的なアプリケーションを起動させるための制御コマンドの名称が表示される。
【００７７】
なお、ドロップダウンメニューＭにアプリケーションの起動を指示する制御コマンド名を表示する場合、例えば、リモコン２０のカーソルキー２０４や決定キー２０５により操作可能なアプリケーションに限定して表示、或いは優先的に表示するのが望ましい。テレビジョン受像機１に所定のアプリケーションが起動されたパソコンの画面を表示することはできるが、リモコン２０によりこのアプリケーションを簡単に操作できない場合はリモートＵＩ機能による利点が半減するからである。
【００７８】
このように、テレビジョン受像機１において、制御部１０は、Ｆキー２０８に対応付ける制御コマンドを、予め登録された複数の制御コマンドの中から選択可能な形態（例えば、ドロップダウンメニューＭ）で表示部１７１に表示させ、リモコン２０からのリモコン信号（例えば、カーソルキー２０４、決定キー２０５の操作に伴い発信されるリモコン信号）に基づいて、Ｆキー２０８に対応付ける制御コマンドを設定する。そして、ＲＯＭ１０３では、Ｆキー２０８に対応して改めて設定された制御コマンドが記憶される。
これにより、ユーザは、自らの利用形態に応じて制御コマンドを簡単に設定することができるので、Ｆキー２０８を有効に利用することができ、さらに利便性が向上する。
【００７９】
（変形例）
図１０は、Ｆキー２０８に対応付けられた制御コマンドを変更するときの表示画面の他の一例である。図１０では、図８に示す表示画面Ｄにおいて、制御コマンド名Ｃ１が選択・決定された場合を示している。
【００８０】
図１０に示すように、Ｆ１キー２０８ａに対応付けられた制御コマンド名Ｃ１が選択・決定されると、制御コマンド名Ｃ１の表示欄が文字入力可能な状態となり、画面下領域にソフトウェアキーボードＫが表示される。
【００８１】
図１０に示す表示画面Ｄ２において、ユーザはカーソルキー２０４，決定キー２０５を操作することにより、ソフトウェアキーボードＫから特定の制御コマンドを指定するための文字情報を入力する。図１０では、制御コマンド名Ｃ１の表示欄に「ｍｙ  ａｐｐｌｉｃａ」と入力された状態を示している。
【００８２】
そして、制御部１０は、入力された文字情報に基づいて、Ｆ１キー２０８ａに対応付ける制御コマンドを設定する。例えば、ＲＯＭ１０３に、Ｆキー２０８に対応付けて設定可能な制御コマンドと、この制御コマンドを特定するための文字情報（例えば、アプリケーション名）を予め記憶しておく。そうすると、文字情報としてアプリケーション名が入力された場合に、このアプリケーションを起動するための制御コマンドをＦキー２０８に対応させて設定することができる。
【００８３】
なお、ＲＯＭ１０３には、制御コマンドを特定するための文字情報として、可能な限り多数の文字情報を登録しておくのが望ましい。例えば、アプリーション名の一部が入力された場合や、統括的な名称（例えば、ＷＥＢブラウザ、電子メールソフト等）が入力された場合でも、特定のアプリケーション（例えば、ＩｎｔｅｒｎｅｔＥｘｐｌｏｒｅｒ、ＯｕｔｌｏｏｋＥｘｐｒｅｓｓ等）を起動するための制御コマンドが設定されるようにしておく。
【００８４】
このように、テレビジョン受像機１において、制御部１０は、リモコン２０により入力された文字情報に基づいて、予め登録された複数の制御コマンドの中から特定の制御コマンドを判別し、Ｆキー２０８に対応して前記特定の制御コマンドを設定する。そして、ＲＯＭ１０３では、Ｆキー２０８に対応して改めて設定された制御コマンドが記憶される。
これにより、ユーザは、自らの利用形態に応じて制御コマンドを簡単に設定することができるので、Ｆキー２０８を有効に利用でき、さらに利便性が向上する。
【００８５】
以上、本発明者によってなされた発明を実施形態に基づいて具体的に説明したが、本発明は上記実施形態に限定されるものではなく、その要旨を逸脱しない範囲で変更可能である。
例えば、図９に示す例では、Ｆキー２０８に対応付けて設定可能な制御コマンド（ドロップダウンメニューＭで表示される制御コマンド）を、ＯＳに応じて予めＲＯＭ１０３に記憶しておくようにしているが、ネットワークＮに接続されたパソコン２において過去に起動されたアプリケーションを起動させるための制御コマンドを設定可能としてもよい。この場合、リモートＵＩモードが起動されたときに、パソコン２から情報（例えば、ＭｉｃｒｏｓｏｆｔＷｉｎｄｏｗｓの最近使ったファイルの情報等）を入手し、これを解析することで実現可能である。これにより、ユーザは、パソコン２において頻繁に使用するアプリケーションを起動させるための制御コマンドを、操作キーに対応して簡単に設定することができる。
【００８６】
また、上記実施形態では、Ｆキー２０８に対応付けられる制御コマンドを変更するときについて説明したが、数字キー２０２に対応付けられる制御コマンドを同様に変更することもできる。
さらに、Ｆキー２０８や数字キー２０２だけでなく、その他のキーにパソコン２に一連の動作を実行させるための制御コマンドを対応付け、操作キーの操作に基づいて対応付けられた制御コマンドをパソコン２に送信するようにしてもよい。つまり、リモコン２０を構成する複数のキーの一部又は全部に、リモートＵＩモード用の機能を割り当てるようにしてもよい。
【００８７】
また、上記実施形態では、ＬＡＮを介してテレビジョン受像機１とパソコン２を接続する場合について説明したが、ＩＥＥＥ１３９４やＵＳＢ等の通信規格に準拠したネットワークを介してテレビジョン受像機１とパソコン２が接続されている場合にも本発明を適用することができる。
【００８８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８９】
【図１】本発明に係るテレビジョン受像機１を利用した家庭内ＬＡＮの概略を示す説明図である。
【図２】本実施形態に係るテレビジョン受像機１の要部構成を例示するブロック図である。
【図３】テレビジョン受像機１に対応するリモコン２０の操作キー配列の具体例を示す説明図である。
【図４】各操作キーに割り当てられる機能の一例について示した説明図である。
【図５】数字キー２０２と制御コマンドの対応関係の一例を示す説明図である。
【図６】Ｆキー２０８と制御コマンドの対応関係の一例を示す説明図である。
【図７】リモートＵＩモードにおける制御処理の一例について示したフローチャートである。
【図８】Ｆキー２０８と、それに対応付けられる制御コマンドを示す表示画面の一例である。
【図９】Ｆキー２０８に対応付けられた制御コマンドを変更するときの表示画面の一例である。
【図１０】Ｆキー２０８に対応付けられた制御コマンドを変更するときの表示画面の他の一例である。
【符号の説明】
【００９０】
１  テレビジョン受像機
１０  制御部（制御手段）
１１  ＣＰＵ
１２  ＲＡＭ
１３  ＲＯＭ（記憶手段）
１７  出力部
１７１  表示部（表示手段）
１８  通信部（通信手段）
１９  赤外線受光部（リモコン信号受信手段）
２０  リモートコントローラ
【図１】
2009100286.tif 000003
【図２】
2009100286.tif 000004
【図３】
2009100286.tif 000005
【図４】
2009100286.tif 000006
【図５】
2009100286.tif 000007
【図６】
2009100286.tif 000008
【図７】
2009100286.tif 000009
【図８】
2009100286.tif 000010
【図９】
2009100286.tif 000011
【図１０】
2009100286.tif 000012